(57)【要約】      （修正有）【課題】抽選参加者が開封確認式及び通信式のいずれかを選択できるとともに、照合作業を要さずに二重抽選等の不正を防止できるようにする。【解決手段】下層基材１７は、抽選結果確認分離部１７ｓを有しており、この抽選結果確認分離部を除いた部分が下層非分離部１７ｎとされており、下層非分離部１７ｎの上面には第２の応募必須情報表示部１７ｊが形成されている。上層基材１６は、応募分離部１６ｓと、応募分離部１６ｓ以外の部分である上層非分離部１６ｎとを有しており、下層基材１７における上層接合部１７ｃと上層基材１６における上層非分離部１６ｎの下面とが接合されるとともに、上層基材１６における応募分離部１６ｓが下層基材１７における第１の応募必須情報表示部１７ｋ及び第２の応募必須情報表示部１７ｊから剥離可能なように構成される。【選択図】図６
2008188779.tif 000002
【特許請求の範囲】
【請求項１】
下層基材、中層基材及び上層基材をこの順に積層してなり、
前記下層基材は、上面に抽選結果表示部を有するとともに、この抽選結果表示部を除く部分に中層接合部を有しており、
前記中層基材は、前記下層基材の抽選結果表示部と重なる部分を含む中層分離部と、この中層分離部を除いた部分である中層非分離部とを有するとともに、前記中層分離部の上面に第１の応募必須情報表示部を有し、前記中層非分離部の上面に第２の応募必須情報表示部を有し、かつ前記中層非分離部のうち前記第２の応募必須情報表示部を除く部分に第１の上層接合部を有し、前記中層分離部のうち前記第１の応募必須情報表示部を除く部分に第２の上層接合部を有しており、
前記上層基材は、前記中層分離部と重なる部分を含み且つ前記第２の応募必須情報表示部と重なる部分を含まない抽選結果確認分離部と、前記第１の応募必須情報表示部及び第２の応募必須情報表示部と重なる部分を含み且つ前記第２の上層接合部と重なる部分を含まない応募分離部と、これらを除く上層非分離部とを有し、
前記下層基材における中層接合部と、前記中層基材における中層非分離部の下面とを接合し、前記中層基材における第１の上層接合部と前記上層基材における上層非分離部の下面とを接合し、前記中層基材における第２の上層接合部と前記上層基材における抽選結果確認分離部とを接合し、
前記中層基材における中層分離部を前記下層基材における抽選結果表示部から剥離可能に構成し、前記上層基材における前記抽選結果確認分離部を前記中層基材における中層非分離部から剥離可能に構成し、前記上層基材における応募分離部を前記中層基材における第１の応募必須情報表示部及び第２の応募必須情報表示部から剥離可能に構成した、
ことを特徴とする籤用シート。
【請求項２】
下層基材と上層基材とをこの順に積層してなり、
前記下層基材は、上面に抽選結果表示部及び第１の応募必須情報表示部を有する抽選結果確認分離部と、抽選結果確認分離部を除いた部分である下層非分離部とを有するとともに、この下層非分離部の上面に第２の応募必須情報表示部を有し、かつ前記下層非分離部のうち前記第２の応募必須情報表示部を除く部分に上層接合部を有しており、
前記上層基材は、前記第１の応募必須情報表示部及び第２の応募必須情報表示部と重なる部分を含み且つ前記抽選結果表示部と重なる部分を含まない応募分離部と、応募分離部以外の部分である上層非分離部とを有しており、
前記下層基材における上層接合部と前記上層基材における上層非分離部の下面とを接合するとともに、前記上層基材における応募分離部を前記下層基材における第１の応募必須情報表示部及び第２の応募必須情報表示部から剥離可能に構成した、
ことを特徴とする籤用シート。
【発明の詳細な説明】
【技術分野】
【０００１】
本発明は、抽選方法を選択可能な籤用シートに関するものである。
【背景技術】
【０００２】
一般に広く採用されている籤用シートとしては、例えば特許文献１記載のような開封により当落等の抽選結果を確認する籤（以下、開封確認式という）を挙げることができる。このような開封確認式の籤は、籤を開封し、中に表示されている文字や図柄により抽選結果を確認し、当選した場合には籤と景品との引き換えを行う、といった用途で用いられることが多い。
また、籤の中に識別番号等の応募必須情報が印字されており、その情報を元に携帯電話等の情報端末を用いて通信ネットワークを介して抽選に応募する通信式の籤も提案されている（例えば特許文献２参照）。通信式の籤は、抽選結果に応じて抽選会場内での景品交換、又は後日送付による景品受け渡しを行うといった用途に用いることができる。通信式の籤は、抽選参加者が抽選会場にいる必要がないという点では、より手軽に参加できるものである。
しかし、通信式の籤は、情報端末の操作に習熟していない者には敷居が高いという問題点がある。よって、抽選参加者が抽選に際して開封確認式あるいは通信式のいずれかを選択できるようにするのは一つの好ましい形態である。
【特許文献１】特開２００４−２５５３６号公報
【特許文献２】特開２００６−１５４９８９号公報
【発明の開示】
【発明が解決しようとする課題】
【０００３】
しかしながら、このような抽選方法選択型の抽選を行う場合、開封確認を行うための抽選結果表示部と、通信式に用いる識別番号等の応募必須情報表示部とを、単一の籤用シートに設けることになるため、二重抽選等の不正を防ぐための対策が必要となる。
すなわち、何らの対策もせずに、抽選結果表示部と応募必須情報表示部とを単一の籤用シートに設けてしまうと、抽選参加者が通信式で抽選を行った後に、抽選会場で景品引き換えを行うことが可能になるおそれがある。また、使用済みの籤用シートを入手したものが、応募必須情報表示部を元に通信式抽選に応募できるおそれがある。
このような事態は、開封確認式及び通信式の各抽選結果を照合することにより回避できるが、その場合、煩雑な照合作業が必要になる等の問題が発生する。
そこで、本発明の主たる課題は、抽選参加者が開封確認式及び通信式のいずれかを選択できるとともに、照合作業を要さずに二重抽選等の不正を防止できるようにすることにある。
【課題を解決するための手段】
【０００４】
上記課題を解決した本発明は次記のとおりである。
＜請求項１記載の発明＞
下層基材、中層基材及び上層基材をこの順に積層してなり、
前記下層基材は、上面に抽選結果表示部を有するとともに、この抽選結果表示部を除く部分に中層接合部を有しており、
前記中層基材は、前記下層基材の抽選結果表示部と重なる部分を含む中層分離部と、この中層分離部を除いた部分である中層非分離部とを有するとともに、前記中層分離部の上面に第１の応募必須情報表示部を有し、前記中層非分離部の上面に第２の応募必須情報表示部を有し、かつ前記中層非分離部のうち前記第２の応募必須情報表示部を除く部分に第１の上層接合部を有し、前記中層分離部のうち前記第１の応募必須情報表示部を除く部分に第２の上層接合部を有しており、
前記上層基材は、前記中層分離部と重なる部分を含み且つ前記第２の応募必須情報表示部と重なる部分を含まない抽選結果確認分離部と、前記第１の応募必須情報表示部及び第２の応募必須情報表示部と重なる部分を含み且つ前記第２の上層接合部と重なる部分を含まない応募分離部と、これらを除く上層非分離部とを有し、
前記下層基材における中層接合部と、前記中層基材における中層非分離部の下面とを接合し、前記中層基材における第１の上層接合部と前記上層基材における上層非分離部の下面とを接合し、前記中層基材における第２の上層接合部と前記上層基材における抽選結果確認分離部とを接合し、
前記中層基材における中層分離部を前記下層基材における抽選結果表示部から剥離可能に構成し、前記上層基材における前記抽選結果確認分離部を前記中層基材における中層非分離部から剥離可能に構成し、前記上層基材における応募分離部を前記中層基材における第１の応募必須情報表示部及び第２の応募必須情報表示部から剥離可能に構成した、
ことを特徴とする籤用シート。
【０００５】
（作用効果）
本項記載の籤用シートでは、抽選結果確認分離部と中層分離部とが接合されているため、抽選結果確認分離部及び中層分離部が一体的な分離片として他の部分から切り取られ、それらの下側に隠蔽されていた下層基材の抽選結果表示部が、切り取りにより形成される窓を介して露出する。このとき、中層分離部上面に位置する第１の応募必須情報表示部は、抽選結果確認分離部により隠蔽され、中層非分離部上面に位置する第２の応募必須情報表示部は応募分離部により隠蔽される。特徴的には、第１の応募必須情報表示部は分離片の一部として切り取られるため、第２の応募必須情報表示部から分離される。よって、開封式の抽選が行われた後に、分離片あるいは他の部分のみを入手したとしても、必須情報の一方が欠けているため、通信式での応募は不可能となる。
また、上層基材の応募分離部が切り取られると、その下側に隠蔽されていた中層基材の第１の応募必須情報表示部及び第２の応募必須情報表示部が、切り取りにより形成される窓から露出する。抽選参加者は第１及び第２の必須情報を元に通信式で応募することができる。そしてこのように応募分離部を切り取った状態は、抽選結果確認分離部を切り取った状態と顕著に異なり、分離後に元に戻すことが不可能である。よって、応募分離部を切り取り通信式抽選を行った後に、抽選結果確認分離部を切り取ることにより二重に抽選しようとしても、一見して二重抽選であることを判別することができる。
なお、本発明における「剥離可能」とは、基材相互が隣接しているだけで接合されていないものの他、接着剤等により接合されているものの力を加えることにより層破壊無く剥離されるものも含む（以下、同じ）。
【０００６】
＜請求項２記載の発明＞
下層基材と上層基材とをこの順に積層してなり、
前記下層基材は、上面に抽選結果表示部及び第１の応募必須情報表示部を有する抽選結果確認分離部と、抽選結果確認分離部を除いた部分である下層非分離部とを有するとともに、この下層非分離部の上面に第２の応募必須情報表示部を有し、かつ前記下層非分離部のうち前記第２の応募必須情報表示部を除く部分に上層接合部を有しており、
前記上層基材は、前記第１の応募必須情報表示部及び第２の応募必須情報表示部と重なる部分を含み且つ前記抽選結果表示部と重なる部分を含まない応募分離部と、応募分離部以外の部分である上層非分離部とを有しており、
前記下層基材における上層接合部と前記上層基材における上層非分離部の下面とを接合するとともに、前記上層基材における応募分離部を前記下層基材における第１の応募必須情報表示部及び第２の応募必須情報表示部から剥離可能に構成した、
ことを特徴とする籤用シート。
【０００７】
（作用効果）
本項記載の発明は、二層構造を採用したものであり、三層構造の請求項１記載の発明と比べてより安価に製造できる等の利点を有するものである。抽選結果を開封式で確認する場合、下層基材における抽選結果確認分離部を下面側から切り取ることにより、分離片の裏面（上層側面）に、抽選結果表示部及び第１の応募必須情報表示部が露出する。このとき、第１の応募必須情報表示部は、抽選結果確認表示部とともに露出されるが、第２の応募必須情報表示部は応募分離部により隠蔽される。特徴的には、第１の応募必須情報表示部は分離片の一部として切り取られるため、第２の応募必須情報表示部から分離される。よって、開封式の抽選が行われた後に、分離片あるいは他の部分のみを入手したとしても、必須情報の一方が欠けているため、通信式での応募は不可能となる。
また、上層基材の応募分離部が切り取られると、その下側に隠蔽されていた下層基材の第１の応募必須情報表示部及び第２の応募必須情報表示部が、切り取りにより形成される窓から露出し、抽選結果確認表示部は露出しない。抽選参加者は第１及び第２の必須情報を元に通信式で応募することができる。そしてこのように応募分離部を切り取った状態は、抽選結果確認分離部を切り取った状態と顕著に異なり、分離後に元に戻すことが不可能である。よって、応募分離部を切り取り通信式抽選を行った後に、抽選結果確認分離部を切り取ることにより二重に抽選しようとしても、一見して二重抽選であることを判別することができる。
【発明の効果】
【０００８】
以上のとおり本発明によれば、抽選参加者が開封確認式及び通信式のいずれかを選択できるとともに、照合作業を要さずに二重抽選等の不正を防止できるようになる等の利点がもたらされる。
【発明を実施するための最良の形態】
【０００９】
以下、本発明の実施形態について添付図面を参照しつつ説明する。
＜第一の実施形態＞
図１及び図２は、本発明に係る籤用シートを用いた籤カード１の実施形態を示している。この籤カード１は、同寸の上層基材２、中層基材３及び下層基材４をこの順に積層することにより形成されている。各基材の素材は紙であるのが好ましいが、一部または全部の層として樹脂フィルムまたは樹脂シートを用いることもできる。
下層基材４は、上面における周縁部が中層を接合するための中層接合部４ｃ（ハッチング部分）となっており、この周縁部により取り囲まれる部分に略長方形状の抽選結果表示部４ｉを有する。抽選結果表示部４ｉは、文字や図形を印刷等により施すことで形成することができる。
中層基材３は、周縁部を除く部分であって且つ下層基材４の抽選結果表示部４ｉと重なる部分を含む略長方形状の中層分離部３ｓと、この中層分離部３ｓを取り囲む中層非分離部（周縁部）３ｎとを有する。分離部３ｓは、その周縁３ｒに沿ってミシン目を施すことにより形成するのが好ましいが、分離部３ｓを隣接層に対して分離可能に接着する場合等においては、周縁３ｒに沿って予め切断しておくこともできる。また、これらのミシン目加工や切断加工は、分離部３ｓの全周にわたり設けられていても、また一部にのみ設けられていても良い。さらに図示例のように、一部はミシン目加工とし、残部を切断加工とすることもできる。
中層分離部３ｓの上面には第１の応募必須情報表示部３ｉが設けられ、中層非分離部３ｎの上面には第２の応募必須情報表示部３ｋが第１の応募必須情報表示部３ｉに隣接して設けられている。第１の応募必須情報及び第２の応募必須情報は、両者を揃えて応募することにより応募が受け付けられるような情報であれば特に限定されないが、例えば識別番号の一部及び残部を第１の応募必須情報表示部３ｉ及び第２の応募必須情報表示部３ｋにそれぞれ設けるようにしたり、ＱＲコードの一部及び残部を第１の応募必須情報表示部３ｉ及び第２の応募必須情報表示部３ｋにそれぞれ設けるようにしたりすることができる。第１の応募必須情報表示部３ｉ及び第２の応募必須情報３ｋは、文字や図形を印刷等により施すことで形成することができる。
また、中層基材３は、中層非分離部３ｎのうち第２の応募必須情報表示部３ｋを除く部分に第１の上層接合部（上層と接合される部分）３ａを有し、中層分離部３ｓのうち第１の応募必須情報表示部３ｉを除く部分（図示例では第１の応募必須情報表示部の長手方向両側部）に第２の上層接合部（上層と接合される部分）３ｂを有している。これらの接合部３ａ，３ｂはハッチングを付した部分である。
上層基材２は、周縁部を除く部分であって、中層分離部３ｓと重なる部分を含み且つ第２の応募必須情報表示部３ｋと重なる部分を含まない略長方形状の抽選結果確認分離部２ｓと、周縁部を除く部分であって第１の応募必須情報表示部３ｉ及び第２の応募必須情報表示部３ｋと重なる部分を含み且つ第２の上層接合部３ｂと重なる部分を含まない略長方形状の応募分離部２ｉと、これらを除く上層非分離部（周縁部）２ｎとを有している。応募分離部２ｉの一端部と抽選結果確認分離部２ｓとの一部とは、中層基材３の第１の応募必須情報表示部３ｉと重なる部分２ｘにおいて重複している。したがって、いずれか一方を分離するときには、これに伴って他方の一部が分離されるようになっている。
そして、下層基材４における中層接合部４ｃと、中層基材３における中層非分離部３ｎの下面とが接合され、中層基材３における第１の上層接合部３ａと上層基材２における上層非分離部２ｎの下面とが接合され、中層基材３における第２の上層接合部３ｂと上層基材２における抽選結果確認分離部２ｓの下面とが接合される。この接合は、部分的であっても、各部全面的であっても良い。また、接合は、糊等の接着剤により行うのが好ましいが、溶着等、他の公知の接合方法を採用することもできる。
一方、中層基材３における中層分離部３ｓは下層基材４における抽選結果表示部４ｉから剥離可能なように構成され、上層基材２における抽選結果確認分離部２ｓは中層基材３における中層非分離部３ｎから剥離可能なように構成され、上層基材２における応募分離部２ｉは中層基材３における第１の応募必須情報表示部３ｉ及び第２の応募必須情報表示部３ｋから剥離可能なように構成される。この剥離可能な構成は、基材相互を非接合とするほか、接着剤等を用いるが層破壊無く剥離するように弱く接合することにより実施することができる。特に、剥離後に再度接着できないよう接合することで、二重抽選等の不正防止効果をより高めることができる。
かくして構成された籤カード１は次のようにして使用することができる。すなわち、開封式により抽選結果を確認する際には、図３（ａ）に示すように、抽選結果確認分離部２ｓを周縁のミシン目により切り取る。この際、抽選結果確認分離部２ｓ及び中層分離部３ｓは接合されているため、両者は一体的な分離片ＳＰとして他の部分から切り取られ、それらの下側に隠蔽されていた下層基材４の抽選結果表示部４ｉが、切り取りにより形成される窓Ｗ１を介して露出する。この状態では、第１の応募必須情報表示部３ｉは中層分離部３ｓ上面に位置しており抽選結果確認分離部２ｓにより隠蔽され、第２の応募必須情報表示部３ｋは中層非分離部３ｎ上面に位置しており応募分離部２ｉにより隠蔽される。特徴的には、第１の応募必須情報表示部３ｉは分離片ＳＰの一部として切り取ることができるため、第２の応募必須情報表示部３ｋから分離される。よって、開封式の抽選が行われた後に、分離片ＳＰあるいは他の部分のみを入手したとしても、必須情報の一方が欠けているため、通信式での応募は不可能となる。
また、通信式で抽選を行う場合には、図３（ｂ）に示すように、上層基材２の応募分離部２ｉを切り取る。これにより、応募分離部２ｉの下側に隠蔽されていた中層基材３の第１の応募必須情報表示部３ｉ及び第２の応募必須情報表示部３ｋが、切り取りにより形成される窓Ｗ２から露出する。抽選参加者は第１及び第２の必須情報を元に通信式で応募することができる。そしてこのように応募分離部２ｉを切り取った状態は、抽選結果確認分離部２ｓを切り取った状態と顕著に異なり、分離後に元に戻すことが不可能である。よって、応募分離部２ｉを切り取り通信式抽選を行った後に、抽選結果確認分離部２ｓを切り取ることにより二重に抽選しようとしても、一見して二重抽選であることを判別することができる。
【００１０】
＜第二の実施形態＞
図４及び図５は、第二の実施形態を示しており、二層構造の籤用シートを用いた籤カード１５の実施形態に係るものであり、下層基材１７と上層基材１６とをこの順に積層してなるものである。
下層基材１７は、周縁部を除く部分に略長方形状の抽選結果確認分離部１７ｓを有しており、この抽選結果確認分離部を除いた部分が下層非分離部（周縁部）１７ｎとされている。抽選結果確認分離部１７ｓの上面（上層側面）には抽選結果表示部１７ｉ及び第１の応募必須情報表示部１７ｋが形成されており、下層非分離部１７ｎの上面には第２の応募必須情報表示部１７ｊが第１の応募必須情報表示部１７ｋに隣接して形成されている。下層非分離部１７ｎのうち第２の応募必須情報表示部１７ｊを除く部分は上層接合部１７ｃ（ハッチング部分）とされている。
上層基材１６は、第１の応募必須情報表示部１７ｋ及び第２の応募必須情報表示部１７ｊと重なる部分を含み且つ抽選結果表示部と重なる部分を含まない略正方形状の応募分離部１６ｓと、応募分離部１６ｓ以外の部分である上層非分離部１６ｎとを有している。
そして、下層基材１７における上層接合部１７ｃと上層基材１６における上層非分離部１７ｎの下面とが接合されるとともに、上層基材１６における応募分離部１６ｓが下層基材１７における第１の応募必須情報表示部１７ｋ及び第２の応募必須情報表示部１７ｊから剥離可能なように構成されている。
なお、分離部や表示部の形成手法、剥離可能とするための具体的構成等については、第一の実施形態と同じであるため説明を省略する。
かくして構成された籤カード１５は次のようにして使用することができる。すなわち、抽選結果を開封式で確認する場合、図６（ａ）に示すように、下層基材１７の下面における抽選結果確認分離部１７ｓを下面側（上層基材側に対して反対側）から切り取ることにより、分離片ＳＰの裏面（上層側面）に、抽選結果表示部１７ｉ及び第１の応募必須情報表示部１７ｋが露出する。このとき、第１の応募必須情報表示部１７ｋは、抽選結果確認表示部１７ｉとともに露出されるが、第２の応募必須情報表示部１７ｊは応募分離部１６ｓにより隠蔽される。特徴的には、第１の応募必須情報表示部１７ｋは分離片ＳＰの一部として切り取られるため、第２の応募必須情報表示部１７ｊから分離される。よって、開封式の抽選が行われた後に、分離片ＳＰあるいは他の部分のみを入手したとしても、必須情報の一方が欠けているため、通信式での応募は不可能となる。
また、通信式で抽選を行う場合には、図６（ｂ）に示すように、上層基材１６の応募分離部１６ｓを切り取る。これにより、応募分離部１６ｓの下側に隠蔽されていた下層基材１７の第１の応募必須情報表示部１７ｋ及び第２の応募必須情報表示部１７ｊが、切り取りにより形成される窓Ｗ３から露出し、抽選結果確認表示部１７ｉは露出しない。抽選参加者は第１及び第２の必須情報を元に通信式で応募することができる。そしてこのように応募分離部１６ｓを切り取った状態は、抽選結果確認分離部１７ｓを切り取った状態と顕著に異なり、分離後に元に戻すことが不可能である。よって、応募分離部１６ｓを切り取り通信式抽選を行った後に、抽選結果確認分離部１７ｓを切り取ることにより二重に抽選しようとしても、一見して二重抽選であることを判別することができる。
【００１１】
＜その他＞
カードの形状及び各分離部の形状は適宜定めることができ、長方形、正方形の他、三角形や五角形等の多角形、円形、楕円形、キャラクター等にすることもできる。
【産業上の利用可能性】
【００１２】
本発明は、抽選方法が選択できる籤として利用可能なものである。
【図面の簡単な説明】
【００１３】
【図１】第一の実施形態の各層を示す平面図である。
【図２】第一の実施形態の縦断面図である。
【図３】第一の実施形態の使用形態を示す平面図である。
【図４】第二の実施形態の各層を示す平面図である。
【図５】第二の実施形態の縦断面図である。
【図６】第二の実施形態の使用形態を示す平面図である。
【符号の説明】
【００１４】
１…籤カード、２…上層基材、３…中層基材、４…下層基材、１５…籤カード、１６…上層基材、１７…下層基材。
【図１】
2008188779.tif 000003
【図２】
2008188779.tif 000004
【図３】
2008188779.tif 000005
【図４】
2008188779.tif 000006
【図５】
2008188779.tif 000007
【図６】
2008188779.tif 000008